(57)【要約】【課題】  箱の内側の見栄えに支障を来すことなく解体性を向上させることができる箱を提供する。【解決手段】  箱Ａにおいて、内側板部２６ａの両側には、切込み部５０−１と切込み部５０−２が設けられ、内側板部２６ｃの両側には、切込み部５０−３と切込み部５０−４が設けられている。箱Ａの組立て状態において、内側板部２６ａにおける切込み部５０−１の下側の領域と、内側板部２６ｃにおける切込み部５０−４の下側の領域を押すことにより、突出部２７−３、２７−４の係止が解除され、また、内側板部２６ａにおける切込み部５０−２の下側の領域と、内側板部２６ｃにおける切込み部５０−３の下側の領域を押すことにより、突出部２７−１、２７−２の係止が解除されて、箱Ａが解体される。【選択図】        図１
0003110774.tif 000002
【実用新案登録請求の範囲】
【請求項１】
箱であって、
方形状を呈する底板部と、
該底板部の相対する２辺から折れ線を介して連設された第１構成部であって、底板部から折れ線を介して連設された第１外側板部と、両側に突出部を有する第１内側板部とを有する第１構成部と、
該底板部の他の相対する２辺から折れ線を介して連設された第２構成部であって、底板部から折れ線を介して連設された第２外側板部と、第２内側板部と、該第２内側板部の両側に折れ線を介して連設された連結フラップと、を有する第２構成部で、第２内側板部と該連結フラップとの境界位置に該突出部が係止するための切込み部が設けられ、また、該第２内側板部には、該切込み部から連設された第２切込み部で、該突出部の係止を解除するための線状の第２切込み部が設けられている第２構成部と、
を有し、
箱の組立て状態において、該第１構成部と第２構成部とで底板部の辺部から立設した側壁部が構成され、該連結フラップは、第１外側板部と第１内側板部とで挟まれた状態となり、第２内側板部における第２切込み部の下側の領域を押し操作することにより、突出部の係止が解除されることを特徴とする箱。
【請求項２】
箱の組立て状態において、上記切込み部は、第２内側板部の下端から上方に形成され、上記第２切込み部は、該切込み部から横方向の成分を有する方向に形成されていることを特徴とする請求項１に記載の箱。
【請求項３】
箱の組立て状態において、上記第２切込み部は、上記切込み部の位置から斜め上方の方向に形成された第１方向切込み部と、該第１方向切込み部の端部から斜め下方の方向に形成された第２方向切込み部と、を有することを特徴とする請求項１又は２に記載の箱。
【請求項４】
上記第１構成部が、上記第１外側板部と上記第１内側板部間に、帯状の縁板部を有し、また、上記第２構成部が、上記第２外側板部と上記第２内側板部間に、帯状の縁板部を有することを特徴とする請求項１又は２又は３に記載の箱。
【請求項５】
上記第２構成部は、上記第２外側板部の両側に折れ線を介して連設された連結フラップを有することを特徴とする請求項１又は２又は３又は４に記載の箱。
【請求項６】
箱であって、
方形状を呈する底板部と、
該底板部の相対する２辺から折れ線を介して連設された第１構成部であって、底板部から折れ線を介して連設された方形状の第１外側板部と、該第１外側板部の底板部側とは反対側の辺部から折れ線を介して連設された帯状の第１縁板部と、該第１縁板部の第１外側板部側とは反対側の辺部から連設された第１内側板部で略方形状を呈し両側に突出部を有する第１内側板部と、を有する第１構成部と、
該底板部の他の相対する２辺から折れ線を介して連設された第２構成部であって、底板部から折れ線を介して連設された第２外側板部と、該第２外側板部の両側に折れ線を介して連設された第１連結フラップと、該第２外側板部の底板部側とは反対側の辺部から折れ線を介して連設された帯状の第２縁板部と、該第２縁板部の第２外側板部側とは反対側の辺部から連設された略方形状の第２内側板部と、該第２内側板部の両側に折れ線を介して連設された第２連結フラップと、を有する第２構成部で、第２内側板部と該第２連結フラップとの境界位置に該突出部が係止するための切込み部が設けられ、また、該第２内側板部には、該切込み部から連設され、該突出部の係止を解除するための線状の第２切込み部で、該切込み部の位置から斜め上方の方向に形成された第１方向切込み部と、該第１方向切込み部の端部から斜め下方の方向に形成された第２方向切込み部とを有する第２切込み部が設けられている第２構成部と、
を有し、
箱の組立て状態において、該第１構成部と第２構成部とで底板部の辺部から立設した側壁部が構成され、該第１連結フラップと第２連結フラップとは、第１外側板部と第１内側板部とで挟まれた状態となり、第２内側板部における第２切込み部の下側の領域を押し操作することにより、突出部の係止が解除されることを特徴とする箱。
【請求項７】
上記第２切込み部は、全体に、直線を折曲した形状で山型の形状を呈することを特徴とする請求項１又は２又は３又は４又は５又は６に記載の箱。
【請求項８】
上記第２切込み部は、全体に、上方に湾曲した円弧状を呈することを特徴とする請求項１又は２又は３又は４又は５又は６に記載の箱。
【請求項９】
上記第２切込み部は、第２内側板部における該第２切込み部の下側の領域を押すことにより、第１内側板部の突出部の係止が解除されて第１内側板部が回動し、第１内側板部が所定角度回動した状態で突出部が第２切込み部に接触して回動が停止するように形成されていることを特徴とする請求項１又は２又は３又は４又は５又は６又は７又は８に記載の箱。
【請求項１０】
箱の内側の面をなす第１内側板部、第２内側板部、底板部のいずれかに、第２内側板部における第２切込み部の下側の領域を押し操作する旨の表示がされていることを特徴とする請求項１又は２又は３又は４又は５又は６又は７又は８又は９に記載の箱。
【考案の詳細な説明】
【技術分野】
【０００１】
本考案は、箱に関するものであり、特に、側壁部が外側板と内側板とを有する箱に関するものである。
【背景技術】
【０００２】
従来より、方形状の矩形状の底部と、底部の外周から立設した側壁部とを有する、いわゆるダブルウォールタイプの箱が存在する。このようなタイプの箱において、解体を容易とするために、両側に係止部を有する内側板の下部に手掛け穴等を設けるものが開示されている（特許文献１）。
【特許文献１】実用新案登録第３０４６６４３号公報
【考案の開示】
【考案が解決しようとする課題】
【０００３】
しかし、上記特許文献１のように内側板に手掛け穴を設けると、この手掛け穴から外側板の裏側が見えてしまい、箱の内側の面の見栄えが悪いという問題があった。さらに、箱の内側の見栄えに支障を来すことなく解体性を向上させることが困難であった。
【０００４】
そこで、本考案が解決しようとする問題点は、箱の内側の見栄えに支障を来すことなく解体性を向上させることができる箱を提供することである。
【課題を解決するための手段】
【０００５】
本考案は上記問題点を解決するために創作されたものであって、第１には、箱であって、方形状を呈する底板部と、該底板部の相対する２辺から折れ線を介して連設された第１構成部であって、底板部から折れ線を介して連設された第１外側板部と、両側に突出部を有する第１内側板部とを有する第１構成部と、該底板部の他の相対する２辺から折れ線を介して連設された第２構成部であって、底板部から折れ線を介して連設された第２外側板部と、第２内側板部と、該第２内側板部の両側に折れ線を介して連設された連結フラップと、を有する第２構成部で、第２内側板部と該連結フラップとの境界位置に該突出部が係止するための切込み部が設けられ、また、該第２内側板部には、該切込み部から連設された第２切込み部で、該突出部の係止を解除するための線状の第２切込み部が設けられている第２構成部と、を有し、箱の組立て状態において、該第１構成部と第２構成部とで底板部の辺部から立設した側壁部が構成され、該連結フラップは、第１外側板部と第１内側板部とで挟まれた状態となり、第２内側板部における第２切込み部の下側の領域を押し操作することにより、突出部の係止が解除されることを特徴とする。
【０００６】
この第１の構成の箱においては、第２構成部に第２切込み部が設けられているので、第２切込み部の下側の領域を押し操作することにより、突出部の切込み部との係止が解除される。これにより、第２内側板部は回動して斜めの状態になるので、第２内側板部の下端を指で持ち上げるようにすることにより、連結フラップが第１外側板部と第１内側板部間に挟まれた状態を解除して、全体を展開状態に解体することが可能となる。よって、簡単な操作で箱を解体することができるので、解体性を向上させることができ、また、第２切込み部は線状の切込み部であるので、第２外側板部の裏側が見えてしまうことがなく、見栄えに支障を来すことがない。
【０００７】
また、第２には、上記第１の構成において、箱の組立て状態において、上記切込み部は、第２内側板部の下端から上方に形成され、上記第２切込み部は、該切込み部から横方向の成分を有する方向に形成されていることを特徴とする。
【０００８】
また、第３には、上記第１又は第２の構成において、箱の組立て状態において、上記第２切込み部は、上記切込み部の位置から斜め上方の方向に形成された第１方向切込み部と、該第１方向切込み部の端部から斜め下方の方向に形成された第２方向切込み部と、を有することを特徴とする。よって、第１方向切込み部の範囲では、第１内側板部は円滑に回動することができ、また、第２方向切込み部においては、第１内側板部の回動を停止させることが可能となる。このように第１内側板部の回動を停止させることにより、不用意に箱が解体してしまうことを防止することができる。
【０００９】
また、第４には、上記第１から第３までのいずれかの構成において、上記第１構成部が、上記第１外側板部と上記第１内側板部間に、帯状の縁板部を有し、また、上記第２構成部が、上記第２外側板部と上記第２内側板部間に、帯状の縁板部を有することを特徴とする。これにより、第１外側板部や第１内側板部や第２外側板部や第２内側板部の厚みがある程度あっても二重の側壁とすることができる。
【００１０】
また、第５には、上記第１から第４までのいずれかの構成において、上記第２構成部は、上記第２外側板部の両側に折れ線を介して連設された連結フラップを有することを特徴とする。これにより、より箱体の形状を強固にすることができる。
【００１１】
また、第６には、箱であって、方形状を呈する底板部と、該底板部の相対する２辺から折れ線を介して連設された第１構成部であって、底板部から折れ線を介して連設された方形状の第１外側板部と、該第１外側板部の底板部側とは反対側の辺部から折れ線を介して連設された帯状の第１縁板部と、該第１縁板部の第１外側板部側とは反対側の辺部から連設された第１内側板部で略方形状を呈し両側に突出部を有する第１内側板部と、を有する第１構成部と、該底板部の他の相対する２辺から折れ線を介して連設された第２構成部であって、底板部から折れ線を介して連設された第２外側板部と、該第２外側板部の両側に折れ線を介して連設された第１連結フラップと、該第２外側板部の底板部側とは反対側の辺部から折れ線を介して連設された帯状の第２縁板部と、該第２縁板部の第２外側板部側とは反対側の辺部から連設された略方形状の第２内側板部と、該第２内側板部の両側に折れ線を介して連設された第２連結フラップと、を有する第２構成部で、第２内側板部と該第２連結フラップとの境界位置に該突出部が係止するための切込み部が設けられ、また、該第２内側板部には、該切込み部から連設され、該突出部の係止を解除するための線状の第２切込み部で、該切込み部の位置から斜め上方の方向に形成された第１方向切込み部と、該第１方向切込み部の端部から斜め下方の方向に形成された第２方向切込み部とを有する第２切込み部が設けられている第２構成部と、を有し、箱の組立て状態において、該第１構成部と第２構成部とで底板部の辺部から立設した側壁部が構成され、該第１連結フラップと第２連結フラップとは、第１外側板部と第１内側板部とで挟まれた状態となり、第２内側板部における第２切込み部の下側の領域を押し操作することにより、突出部の係止が解除されることを特徴とする。
【００１２】
この第６の構成の箱においては、第２構成部に第２切込み部が設けられているので、第２切込み部の下側の領域を押し操作することにより、突出部の切込み部との係止が解除される。これにより、第２内側板部は回動して斜めの状態になるので、第２内側板部の下端を指で持ち上げるようにすることにより、連結フラップが第１外側板部と第１内側板部間に挟まれた状態を解除して、全体を展開状態に解体することが可能となる。よって、簡単な操作で箱を解体することができるので、解体性を向上させることができ、また、第２切込み部は線状の切込み部であるので、第２外側板部の裏側が見えてしまうことがなく、見栄えに支障を来すことがない。
【００１３】
また、第７には、上記第１から第６までのいずれかの構成において、上記第２切込み部は、全体に、直線を折曲した形状で山型の形状を呈することを特徴とする。これにより、第１内側板部を回動させた後に、回動を停止させることができる。このように第１内側板部の回動を停止させることにより、不用意に箱が解体してしまうことを防止することができる。
【００１４】
また、第８には、上記第１から第６までのいずれかの構成において、上記第２切込み部は、全体に、上方に湾曲した円弧状を呈することを特徴とする。これにより、第１内側板部を回動させた後に、回動を停止させることができる。このように第１内側板部の回動を停止させることにより、不用意に箱が解体してしまうことを防止することができる。
【００１５】
また、第９には、上記第１から第８までのいずれかの構成において、上記第２切込み部は、第２内側板部における該第２切込み部の下側の領域を押すことにより、第１内側板部の突出部の係止が解除されて第１内側板部が回動し、第１内側板部が所定角度回動した状態で突出部が第２切込み部に接触して回動が停止するように形成されていることを特徴とする。このように第１内側板部の回動を停止させることにより、不用意に箱が解体してしまうことを防止することができる。
【００１６】
また、第１０には、上記第１から第９までのいずれかの構成において、箱の内側の面をなす第１内側板部、第２内側板部、底板部のいずれかに、第２内側板部における第２切込み部の下側の領域を押し操作する旨の表示がされていることを特徴とする。これにより、解体操作の方法を容易に知らせることが可能となる。
【考案の効果】
【００１７】
本考案に基づく箱によれば、簡単な操作で箱を解体することができるので、解体性を向上させることができ、また、第２切込み部は線状の切込み部であるので、第２外側板部の裏側が見えてしまうことがなく、見栄えに支障を来すことがない。
【考案を実施するための最良の形態】
【００１８】
本考案においては、箱の内側の見栄えに支障を来すことなく解体性を向上させることができる箱を提供するという目的を以下のようにして実現した。
【００１９】
本考案に基づく箱Ａは、図１に示すように構成され、底板部１０と、側壁部２０ａと、側壁部２０ｂと、側壁部２０ｃと、側壁部２０ｄとを有している。このように、底板部１０と、側壁部２０ａ〜２０ｄによって、箱Ａは上部が開口した箱状に形成され、内部に収納空間を有した構成となっている。
【００２０】
この箱Ａの詳細について、展開状態を示す図２を主として利用して説明する。箱Ａは、図２に示す展開状態の板状部材（例えば、段ボール材等の紙材）を組み立てることにより形成されたものであり、段ボール材等の板状の部材を図２に示す形状に形成して組み立てることにより、箱Ａが形成される。なお、図２において、一点鎖線は谷折りの折れ線を示し、二点鎖線は山折りの折れ線を示す。
【００２１】
まず、底板部１０は、箱の底面を構成する部材であり、方形状の板状に形成されている。
【００２２】
また、底板部１０の下側の辺部からは折れ線を介して外側板部（第２外側板部）２２ａが連設されている。この外側板部２２ａは、略長方形状を呈し、横方向（Ｘ１−Ｘ２方向）には底板部１０と同じ幅を有している。この外側板部２２ａの両側には、連結フラップ（第１連結フラップ）２８ａ、３０ａが折れ線を介して連設されている。すなわち、外側板部２２ａのＸ１側の辺部からは折れ線を介して連結フラップ２８ａが形成され、また、外側板部２２ａのＸ２側の辺部からは折れ線を介して連結フラップ３０ａが形成されている。この連結フラップ２８ａ、３０ａはともに略台形形状を呈している。また、外側板部２２ａの底板部１０側とは反対側の辺部からは縁板部（第２縁板部）２４ａが折れ線を介して連設されている。この縁板部２４ａは、幅狭の帯状を呈し、組立て状態では、側壁部２０ａの上端部分を構成する。この縁板部２４ａの横方向の幅は、外側板部２２ａ側から内側板部２６ａに向けて若干小さく形成されている。
【００２３】
また、縁板部２４ａの外側板部２２ａ側とは反対側の辺部からは内側板部（第２内側板部）２６ａが折れ線を介して連設されている。この内側板部２６ａは、略方形状を呈し、その幅（つまり、Ｙ１−Ｙ２方向の幅（組立て状態における高さ方向の幅））は、外側板部２２ａの幅（つまり、Ｙ１−Ｙ２方向の幅（組立て状態における高さ方向の幅））と同じか又は底板部１０の厚みを考慮して、外側板部２２ａの幅よりも若干小さく形成されている。また、内側板部２６ａの長さ（つまりＸ１−Ｘ２方向の長さ）は、外側板部２２ａの長さよりも若干短く形成されている。また、内側板部２６ａの両側には、切込み部（第２切込み部）５０−１と切込み部（第２切込み部）５０−２が形成されている。切込み部５０−１、５０−２の詳細については後述する。
【００２４】
また、内側板部２６ａの両側には、連結フラップ（第２連結フラップ）３２ａ、３４ａが折れ線を介して連設されている。すなわち、内側板部２６ａのＸ１側の辺部からは折れ線及び切込み部４０−１を介して連結フラップ３２ａが形成されている。すなわち、連結フラップ３２ａと内側板部２６ａの境界位置には、折れ線が存在するとともに、切込み部４０−１が存在している。この切込み部４０−１は、略Ｌ字状の線状の切込み部であり、図３に示すように、折れ線の端部に接続され、内側板部２６ａ側に横方向（Ｘ１−Ｘ２方向）に形成された切込み部４２と、該切込み部４２の端部から縦方向（Ｙ１−Ｙ２方向）に内側板部２６ａの端部（Ｙ１側の端部）にまで形成された切込み部４４とを有している。つまり、連結フラップ３２ａは、この切込み部４０−１によりＸ２側に一部突出した形状となっており、内側板部２６ａは、この切込み部４０−１によりＸ２側に一部窪んだ形状となっている。
【００２５】
また、内側板部２６ａのＸ２側の辺部からは折れ線及び切込み部４０−２を介して連結フラップ３４ａが形成されている。すなわち、連結フラップ３４ａと内側板部２６ａの境界位置には、折れ線が存在するとともに、切込み部４０−２が存在している。この切込み部４０−２は、略Ｌ字状の線状の切込み部であり、この切込み部４０−２の形状は、切込み部４０−１と線対称の形状を呈しているので、詳しい説明を省略する。なお、連結フラップ３４ａは、この切込み部４０−２によりＸ１側に一部突出した形状となっており、内側板部２６ａは、この切込み部４０−２によりＸ１側に一部窪んだ形状となっている。
【００２６】
次に、切込み部５０−１の構成の詳細について説明すると、切込み部５０−１は、切込み部４０−１の角部から連設されていて、略く字形状（厳密には、略く字形状を横に倒した形状）、つまり、直線を折曲した形状で山型の形状を呈している。この切込み部５０−１は、該切込み部４０−１から横方向の成分を有する方向に形成されている。つまり、切込み部５０−１は、切込み部（第１方向切込み部）５２と切込み部（第２方向切込み部）５４とを有していて、切込み部５２は、Ｙ２側（縁板部２４ａ側）に斜め横方向に直線状に形成されている。つまり、切込み部５２は、箱Ａの組立て状態では、斜め上方に向けて直線状に形成されている。また、切込み部５４は、切込み部５２の端部から連設されていて、Ｙ１側に斜め横方向に直線状に形成されている。つまり、切込み部５４は、切込み部５２の端部から斜め下方に向けて形成されている。また、切込み部５２の長さは、切込み部５４の長さよりも長く形成されている。
【００２７】
なお、内側板部２６ａの端部に係止された突出部２７−３の係止状態が解除された際に、内側板部２６ｄの下端が起きあがるが、その際、切込み部５２は、内側板部２６ｄの起きあがりに支障がないように斜め上方に向けて形成されており、また、切込み部５４は、内側板部２６ｄの起きあがりを規制するように、斜め下方に向けて形成されている。この点は、切込み部５０−２、５０−３、５０−４における各切込み部５２と切込み部５４についても同様の構成となっている。
【００２８】
また、切込み部５０−２は、切込み部４０−２の角部から連設されていて、略く字形状を呈している。この切込み部５０−２の構成は、切込み部５０−１と線対称の形状を呈しているので、詳しい説明を省略する。つまり、切込み部５０−２は、Ｙ１−Ｙ２方向の中心線を介して切込み部５０−１と線対称に構成されており、切込み部５２と切込み部５４とから構成されている。
【００２９】
なお、内側板部２６ａと連結フラップ３２ａ、３４ａは、全体に長方形状を呈し、該長方形状の部材に対して、内側板部２６ａと連結フラップ３２ａ間の折れ線と切込み部４０−１と切込み部５０−１と、内側板部２６ａと連結フラップ３４ａ間の折れ線と切込み部４０−２と切込み部５０−２とを形成することにより構成されたものであるといえる。
【００３０】
次に、底板部１０の右側の辺部からは折れ線を介して外側板部（第１外側板部）２２ｂが連設されている。この外側板部２２ｂは、略長方形状を呈し、縦方向（Ｙ１−Ｙ２方向）には底板部１０と同じ幅を有している。また、外側板部２２ｂの底板部１０側とは反対側の辺部からは縁板部（第１縁板部）２４ｂが折れ線を介して連設されている。この縁板部２４ｂは、幅狭の帯状を呈し、組立て状態では、側壁部２０ｂの上端部分を構成する。この縁板部２４ｂの縦方向の幅は、外側板部２２ｂ側から内側板部２６ｂに向けて若干小さく形成されている。
【００３１】
また、縁板部２４ｂの外側板部２２ｂ側とは反対側の辺部からは内側板部（第１内側板部）２６ｂが折れ線を介して連設されている。この内側板部２６ｂは、略方形状を呈する本体部２７ｂと、本体部２７ｂの両端から突出した突出部２７−１と突出部２７−２とを有している。この本体部２７ｂの幅（つまり、Ｘ１−Ｘ２方向の幅（組立て状態における高さ方向の幅））は、外側板部２２ｂの幅（つまり、Ｘ１−Ｘ２方向の幅（組立て状態における高さ方向の幅））と同じか又は底板部１０の厚みを考慮して、外側板部２２ｂの幅よりも若干小さく形成されている。また、本体部２７ｂの長さ（つまりＹ１−Ｙ２方向の長さ）は、外側板部２２ｂの長さよりも若干短く形成されている。また、突出部２７−１は、本体部２７ｂの一方の角部からＹ１方向に向けて突出して形成され、略方形状を呈している。この突出部２７−１の長さ（図２におけるＸ１−Ｘ２方向の長さ）は切込み部４０−２の長さと同じか若干短く形成されていて、連結フラップ３４ａを内側板部２６ａに対して折り曲げた際に、切込み部４０−２の位置に形成される隙間に突出部２７−１が係止されるようになっている。また、同様に、突出部２７−２は、本体部２７ｂの他方の角部からＹ２方向に向けて突出して形成され、略方形状を呈している。この突出部２７−２の長さ（図２におけるＸ１−Ｘ２方向の長さ）は切込み部４０−３の長さと同じか若干短く形成されていて、連結フラップ３２ｃを内側板部２６ｃに対して折り曲げた際に、切込み部４０−３の位置に形成される隙間に突出部２７−２が係止されるようになっている。
【００３２】
次に、底板部１０の上側の辺部からは折れ線を介して外側板部（第２外側板部）２２ｃが連設され、また、この外側板部２２ｃの両側には、連結フラップ（第１連結フラップ）２８ｃ、３０ｃが折れ線を介して連設され、また、外側板部２２ｃの底板部１０側とは反対側の辺部からは縁板部（第２縁板部）２４ｃが折れ線を介して連設され、また、縁板部２４ｃの外側板部２２ｃ側とは反対側の辺部からは内側板部（第２内側板部）２６ｃが折れ線を介して連設され、また、内側板部２６ｃの両側には、連結フラップ（第２連結フラップ）３２ｃ、３４ｃが折れ線を介して連設されているが、これらの構成は、外側板部２２ａと、連結フラップ２８ａ、３０ａと、縁板部２４ａと、内側板部２６ａと、連結フラップ３２ａ、３４ａと同じ構成であるので、詳しい説明を省略する。つまり、底板部１０の上側に設けられた各部材の構成は、底板部１０の下側に設けられた各部材の構成と同じである。また、底板部１０の上側の構成は、底板部１０の下側の構成とＸ１−Ｘ２方向の中心線を介して対称に構成されているといえる。
【００３３】
なお、連結フラップ３２ｃと内側板部２６ｃの境界位置には、折れ線が存在するとともに、切込み部４０−３が存在しており、また、連結フラップ３４ｃと内側板部２６ｃの境界位置には、折れ線が存在するとともに、切込み部４０−４が存在しており、切込み部４０−３の構成は、切込み部４０−１と同じであり、切込み部４０−４の構成は、切込み部４０−２と同じである。
【００３４】
また、切込み部（第２切込み部）５０−３は、切込み部４０−３の角部から連設されていて、この切込み部５０−３の構成は、切込み部５０−１と同じである。つまり、切込み部５０−３は、略く字形状を呈していて、切込み部５２と切込み部５４とから構成されている。また、切込み部（第２切込み部）５０−４は、切込み部４０−４の角部から連設されていて、この切込み部５０−４の構成は、切込み部５０−２と同じである。つまり、切込み部５０−４は、略く字形状を呈していて、切込み部５２と切込み部５４とから構成されている。
【００３５】
次に、底板部１０の左側の辺部からは折れ線を介して外側板部（第１外側板部）２２ｄが連設され、また、外側板部２２ｄの底板部１０側とは反対側の辺部からは縁板部（第１縁板部）２４ｄが折れ線を介して連設され、また、縁板部２４ｄの外側板部２２ｄ側とは反対側の辺部からは内側板部（第１内側板部）２６ｄが折れ線を介して連設されているが、これらの構成は、外側板部２２ｂと、縁板部２４ｂと、内側板部２６ｂと同じ構成であるので、詳しい説明を省略する。つまり、底板部１０の左側に設けられた各部材の構成は、底板部１０の右側に設けられた各部材の構成と同じである。また、底板部１０の左側の構成は、底板部１０の右側の構成とＹ１−Ｙ２方向の中心線を介して対称に構成されているといえる。
【００３６】
なお、内側板部２６ｄは、略方形状を呈する本体部２７ｄと、本体部２７ｄの両端から突出した突出部２７−３と突出部２７−４とを有しているが、この本体部２７ｄは、本体部２７ｂと同じ構成であり、また、突出部２７−３は、突出部２７−１と同じ構成であり、突出部２７−４は、突出部２７−２と同じ構成である。
【００３７】
なお、外側板部２２ａと、縁板部２４ａと、内側板部２６ａと、連結フラップ２８ａ、３０ａ、３２ａ、３４ａとで上記第２構成部（第２板状部としてもよい）が構成され、また、外側板部２２ｃと、縁板部２４ｃと、内側板部２６ｃと、連結フラップ２８ｃ、３０ｃ、３２ｃ、３４ｃとで上記第２構成部（第２板状部としてもよい）が構成され、また、外側板部２２ｂと、縁板部２４ｂと、内側板部２６ｂとで上記第１構成部（第１板状部としてもよい）が構成され、また、外側板部２２ｄと、縁板部２４ｄと、内側板部２６ｄとで上記第１構成部（第１板状部としてもよい）が構成される。なお、上記の説明において、「略長方形状」とした部分は、単に「長方形状」としてもよい。また、「略方形状」とした部分は、単に「方形状」としてもよい。
【００３８】
上記構成の箱Ａの組立て方法について説明すると、内側板部２６ａを縁板部２４ａに対して折り曲げ、さらに、縁板部２４ａを外側板部２２ａに対して折り曲げて、内側板部２６ａを外側板部２２ａの上方に略平行になるようにする。これにより、連結フラップ３２ａが連結フラップ２８ａの上方に位置し、連結フラップ３４ａが連結フラップ３０ａの上方に位置する。また、同様に、内側板部２６ｃを縁板部２４ｃに対して折り曲げ、さらに、縁板部２４ｃを外側板部２２ｃに対して折り曲げて、内側板部２６ｃを外側板部２２ｃの上方に略平行になるようにする。これにより、連結フラップ３２ｃが連結フラップ２８ｃの上方に位置し、連結フラップ３４ｃが連結フラップ３０ｃの上方に位置する。
【００３９】
そして、外側板部２２ａを底板部１０に対して起立させ、また、連結フラップ２８ａ、３０ａ、３２ａ、３４ａを底板部１０側に折り曲げておく。また、同様に、外側板部２２ｃを底板部１０に対して起立させ、また、連結フラップ２８ｃ、３０ｃ、３２ｃ、３４ｃを底板部１０側に折り曲げておく。
【００４０】
そして、外側板部２２ｂを底板部１０に対して折り曲げ、さらに、縁板部２４ｂを外側板部２２ｂに対して折り曲げるとともに、内側板部２６ｂを縁板部２４ｂに対して折り曲げて、連結フラップ３０ａ、３４ａ、２８ｃ、３２ｃが外側板部２２ｂと内側板部２６ｂ間に挟まれた状態とする。また、外側板部２２ｄを底板部１０に対して折り曲げ、さらに、縁板部２４ｄを外側板部２２ｄに対して折り曲げるとともに、内側板部２６ｄを縁板部２４ｄに対して折り曲げて、連結フラップ２８ａ、３２ａ、３０ｃ、３４ｃが外側板部２２ｄと内側板部２６ｄ間に挟まれた状態とする。
【００４１】
そして、切込み部４０−２の位置には、連結フラップ３４ａを内側板部２６ａに対して折り曲げることにより隙間が形成されているので、この隙間に突出部２７−１を嵌め込む。また、切込み部４０−３の位置には、連結フラップ３２ｃを内側板部２６ｃに対して折り曲げることにより隙間が形成されているので、この隙間に突出部２７−２を嵌め込む。同様に、切込み部４０−１の位置には、連結フラップ３２ａを内側板部２６ａに対して折り曲げることにより隙間が形成されているので、この隙間に突出部２７−３を嵌め込む。また、切込み部４０−４の位置には、連結フラップ３４ｃを内側板部２６ｃに対して折り曲げることにより隙間が形成されているので、この隙間に突出部２７−４を嵌め込む。このように、各突出部を嵌め込むことにより、組立て状態が固定される。つまり、切込み部４０−１は、突出部２７−３が係止するためのものであり、切込み部４０−２は、突出部２７−１が係止するためのものであり、切込み部４０−３は、突出部２７−２が係止するためのものであり、切込み部４０−４は、突出部２７−４が係止するためのものであるといえる。
【００４２】
次に、箱Ａを解体する場合について説明する。箱Ａを解体する際には、内側板部２６ａにおける切込み部５０−１の周辺領域、特に、下側の領域を押すとともに、内側板部２６ｃにおける切込み部５０−４の周辺領域、特に、下側の領域を押す。すると、内側板部２６ａの端部に係止されていた突出部２７−３の係止状態が解除されるとともに、内側板部２６ｃの端部に係止されていた突出部２７−４の係止状態が解除されて、内側板部２６ｄが傾斜してくる。つまり、図４に示すように、図４のＷ１の状態で、内側板部２６ａにおける切込み部５０−１の下側の領域Ｐを押すとともに、内側板部２６ｃにおける切込み部５０−４の下側の領域を押すと、突出部２７−３と突出部２７−４の係止状態が解除されて、図４のＷ２に示すように、内側板部２６ｄが回動して斜めに傾斜した状態になる。その際、切込み部５０−１、５０−４には、切込み部５４が設けられているので、この切込み部５４の位置で回動が停止する。
【００４３】
同様に、内側板部２６ａにおける切込み部５０−２の下側の領域を押すとともに、内側板部２６ｃにおける切込み部５０−３の下側の領域を押すと、内側板部２６ａの端部に係止されていた突出部２７−１の係止状態が解除されるとともに、内側板部２６ｃの端部に係止されていた突出部２７−２の係止状態が解除されて、内側板部２６ｂが傾斜してくる。その際、切込み部５０−２、５０−３には、切込み部５４が設けられているので、この切込み部５４の位置で回動が停止する。
【００４４】
このように内側板部２６ｂ、２６ｄの回動を停止させることにより、不用意に箱が解体してしまうことを防止することができる。つまり、このように内側板部２６ｂ、２６ｄの回動を停止される機能がないと、何らかの原因で突出部２７−１、２７−２、２７−３、２７−４の係止状態が解除されてしまうと、即座に箱Ａが解体してしまうおそれがあるが、本実施例の箱Ａにおいては、そのようなおそれがない。
【００４５】
以上のようにして、内側板部２６ｄと内側板部２６ｂが斜めに傾斜した状態になったら、内側板部２６ｄの下端と底板部１０の上面の隙間に指等を入れて、内側板部２６ｄを持ち上げ、同様に、内側板部２６ｂの下端と底板部１０の上面の隙間に指等を入れて、内側板部２６ｂを持ち上げる。すると、突出部２７−１、２７−２、２７−３、２７−４は、切込み部との係止状態が解除されて、内側板部２６ｄと内側板部２６ｂをさらに回動させることができる。
【００４６】
その後は、上記組立て方法と逆の要領で箱Ａを展開状態にすることにより、解体を行う。
【００４７】
以上のように、本実施例の箱Ａによれば、内側板部２６ａの両側に切込み部５０−１と切込み部５０−２が設けられており、また、内側板部２６ｃの両側に切込み部５０−３と切込み部５０−４が設けられているので、各切込み部の下側の領域を押さえることにより、容易に内側板部２６ｂや内側板部２６ｄを斜めに傾斜させることができ、その後、指で持ち上げることにより、切込み部との係止状態を解除できるので、容易に解体を行うことができる。また、内側板部には、指を掛止するための穴部が設けられないので、外側板部の裏面が露出することがなく、見栄えを悪くすることがない。
【００４８】
なお、上記の構成において、箱Ａの内側、例えば、内側板部２２ａ〜２２ｄにおける少なくともいずれかの内側板部又は底板部に、箱を解体する際の操作の方法を印刷等により表示するようにしてもよい。例えば、内側板部２６ａにおける切込み部５０−１、５０−２の下側の領域と、内側板部２６ｃにおける切込み部５０−３、５０−４の下側の領域に所定の印を表示して、押し操作を行い位置を示しておくとともに、内側板部２６ｂと内側板部２６ｄに、印の位置を押し操作すべき旨を表示しておく。例えば、「箱を解体する場合には、両側の印の位置を押して下さい。この面が持ち上がり簡単に解体できます。」と表示しておく。これにより、解体操作の方法を容易に知らせることが可能となる。
【００４９】
なお、上記の説明において、切込み部５０−１、５０−２、５０−３、５０−４は、略く字形状を呈するとして説明したが、これには限られず、例えば、図５に示すように略円弧状としてもよい。つまり、切込み部６０は、上側に向けて湾曲した円弧状を呈していて、内側板部２６ａの端部からは上方に湾曲していき、その後、下方に湾曲していく形状になっている。これにより、内側板部２６ｄの係止状態が解除されて回動してきた場合には、突出部２７−３が切込み部６０の一部に当接して回動が停止するようになっている（図５のＷ２参照）。また、切込み部６０以外の他の３カ所の切込み部も同様の形状を呈している。つまり、図２における切込み部５０−２の位置には、切込み部６０とは線対称の形状の切込み部が設けられ、また、内側板部２６ｃの切込み部５０−３の位置には、切込み部６０と同様の形状の切込み部が設けられ、また、内側板部２６ｃの切込み部５０−４の位置には、切込み部６０とは線対称の形状の切込み部が設けられることになる。
【００５０】
そして、内側板部２６ａにおける切込み部６０の下側の領域を押すとともに、内側板部２６ｃにおける該切込み部の下側の領域を押すと、内側板部２６ａの端部に係止されていた突出部２７−３の係止状態が解除されるとともに、内側板部２６ｃの端部に係止されていた突出部２７−４の係止状態が解除されて、内側板部２６ｄが傾斜してくる。つまり、図５に示すように、図５のＷ１の状態で、内側板部２６ａにおける切込み部６０の下側の領域Ｐを押すとともに、内側板部２６ｃにおける該切込み部の下側の領域を押すと、突出部２７−３と突出部２７−４の係止状態が解除されて、図５のＷ２に示すように、内側板部２６ｄが回動して斜めに傾斜した状態になる。その際、切込み部６０は、上方に湾曲した形状を呈しているので、所定の位置で回動が停止する。
【００５１】
同様に、内側板部２６ａにおける該切込み部の下側の領域を押すとともに、内側板部２６ｃにおける該切込み部の下側の領域を押すと、内側板部２６ａの端部に係止されていた突出部２７−１の係止状態が解除されるとともに、内側板部２６ｃの端部に係止されていた突出部２７−２の係止状態が解除されて、内側板部２６ｂが傾斜してくる。その際、該切込み部は、上方に湾曲した形状を呈しているので、所定の位置で回動が停止する。
【００５２】
以上のようにして、内側板部２６ｄと内側板部２６ｂが斜めに傾斜した状態になったら、内側板部２６ｄの下端と底板部１０の上面の隙間に指等を入れて、内側板部２６ｄを持ち上げ、同様に、内側板部２６ｂの下端と底板部１０の上面の隙間に指等を入れて、内側板部２６ｂを持ち上げることにより、突出部２７−１、２７−２、２７−３、２７−４は、該切込み部との係止状態が解除されて、内側板部２６ｄと内側板部２６ｂをさらに回動させることができる。
【図面の簡単な説明】
【００５３】
【図１】本実施例の箱を示す斜視図である。
【図２】本実施例の箱の展開状態を示す平面図である。
【図３】本実施例の箱の展開状態を示す要部平面図である。
【図４】本実施例の箱の使用状態を示す説明図である。
【図５】本実施例の他の例における箱の使用状態を示す説明図である。
【符号の説明】
【００５４】
Ａ  箱
１０  底板部
２２ａ、２２ｂ、２２ｃ、２２ｄ  外側板部
２４ａ、２４ｂ、２４ｃ、２４ｄ  縁板部
２６ａ、２６ｂ、２６ｃ、２６ｄ  内側板部
２８ａ、３０ａ、３２ａ、３４ａ、２８ｃ、３０ｃ、３２ｃ、３４ｃ  連結フラップ
４０−１、４０−２、４０−３、４０−４、５０−１、５０−２、５０−３、５０−４、５２、５４、６０  切込み部
２７−１、２７−２、２７−３、２７−４  突出部
【図１】
0003110774.tif 000003
【図２】
0003110774.tif 000004
【図３】
0003110774.tif 000005
【図４】
0003110774.tif 000006
【図５】
0003110774.tif 000007